(57)【要約】【課題】薄型の音響特性に優れた電気音響変換器を提供する。【解決手段】磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、磁気回路は、中心に配置した第１の磁石１１ａと、該第１の磁石１１ａの周囲に所定の間隔をおいて配置した少なくとも１個の第２の磁石１１ｂとを備え、第１、第２の磁石１１ａ、１１ｂのそれぞれの厚さの値ｅ、ｆが磁気ギャップ１５の値と比較して小さい値に設定されていることを特徴とする。【選択図】図１
2008312056.tif 000002
【特許請求の範囲】
【請求項１】
磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、
前記磁気回路は、中心に配置した第１の磁石と、該第１の磁石の周囲に所定の間隔をおいて配置した少なくとも１個の第２の磁石とを備え、前記第１、第２の磁石のそれぞれの厚さの値が前記磁気ギャップの値と比較して小さい値に設定されていることを特徴とする電気音響変換器。
【請求項２】
磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、
前記磁気回路は、中心に配置した第１の磁石と、該第１の磁石の周囲に所定の間隔をおいて配置した少なくとも１個の第２の磁石と、前記第１、第２の磁石のそれぞれに対応する位置に設ける第１、第２のトッププレートとを備え、前記第１、第２の磁石は互いに異なる材質の磁石からなり、それぞれの厚さが前記磁気ギャップの値と比較して小さく、かつ互いに異なる値に設定され、前記第１、第２のトッププレートは、それぞれの厚さが互いに異なる値に設定されていることを特徴とする電気音響変換器。
【請求項３】
前記磁気回路は円形形状をなし、前記第１の磁石が円形形状または円筒形形状であり、第２の磁石が円筒形形状であることを特徴とする請求項１または請求項２に記載の電気音響変換器。
【請求項４】
磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、
前記磁気回路は、中心に配置した第１の磁石と、該第１の磁石の周囲の一部に所定の間隔で対向配置された少なくとも一対の磁石からなる第２の磁石とを備え、前記第１、第２の磁石のそれぞれの厚さの値が前記磁気ギャップの値と比較して小さい値に設定されていることを特徴とする電気音響変換器。
【請求項５】
前記第１、第２の磁石のそれぞれに対応する位置に第１、第２のトッププレートを備え、前記第１、第２の磁石は、それぞれの厚さが前記磁気ギャップの値と比較して小さく、かつ互いに異なる値に設定され、前記第１、第２のトッププレートは、それぞれの厚さが互いに異なる値に設定されていることを特徴とする請求項４に記載の電気音響変換器。
【請求項６】
前記磁気回路は長円形形状または長方形形状をなし、前記第１の磁石が長円形形状または長方形形状で中空または中実形状をなし、前記第２の磁石が前記第１の磁石の短手方向に配置され、前記第１の磁石の長手方向に沿って延長配置されていることを特徴とする請求項４または請求項５に記載の電気音響変換器。
【発明の詳細な説明】
【技術分野】
【０００１】
本発明は音響機器および情報通信機器に使用される電気音響変換器に関し、特に薄型のスピーカ、レシーバなどの電気音響変換器に関する。
【背景技術】
【０００２】
近年携帯電話などの移動通信機器の電気音響変換器として、小型薄型で性能のよい動電型スピ−カが広く用いられている（例えば、特許文献１参照。）。従来のこのようなスピーカの一例を図８に基づいて説明する。図８は従来のスピーカを示したもので、図８（ａ）は断面図、図８（ｂ）は図８（ａ）に示すスピーカの要部である磁気回路を示す断面図である。
【０００３】
図８に示すように従来のスピーカは、着磁された磁石１と、磁石１を狭持するトッププレート２及びヨーク３と、ヨーク３に接着結合したフレーム６と、このフレーム６の周縁部に接着結合した振動板７と、振動板７の一部に接着結合されたボイスコイル８とを備えている。磁石１、トッププレート２及びヨーク３で磁気ギャップ５を通る磁気回路４を構成し、この磁気回路４の磁気ギャップ５にボイスコイル８が挿入、配置されている。このスピーカのボイスコイル８に音声信号が入力されると振動板７が振動して音を発生するようになっている。
【０００４】
【特許文献１】特開２００４−３５６８３３号公報（第２頁、図４）
【発明の開示】
【発明が解決しようとする課題】
【０００５】
前述のように従来技術におけるスピーカの磁気回路４の構成はヨーク３の上面に磁石１を積層し、その磁石の１の上面にトッププレート２を積層する構造であり薄型化を図るためには各構成部品の厚さの値を小さく必要がある。しかしながら、磁石１の厚さｔの値を磁気回路４の磁気ギャップ５の値ａに比較して小さい値に設定すると磁束ｍａが直接磁石端面１ａに流れる磁路が形成され磁気ギャップ５に流れる磁束ｍｂが減少し、磁気特性を維持することが困難であった。このため電気音響変換器の薄型化が難しいという問題があった。
【０００６】
（目的）
本発明は、上記課題に鑑みてなされたものであり、磁石の厚さｔの値を磁気ギャップａの値より小さい値に設定しても磁気特性が維持でき、薄型の音響特性に優れた電気音響変換器を提供することを目的とするものである。
【課題を解決するための手段】
【０００７】
上記課題を解決ために本発明の電気音響変換器は、磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、磁気回路は、中心に配置した第１の磁石と、該第１の磁石の周囲に所定の間隔をおいて配置した少なくとも１個の第２の磁石とを備え、第１、第２の磁石のそれぞれの厚さの値が磁気ギャップの値と比較して小さい値に設定されていることを特徴とする。
【０００８】
また、磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、磁気回路は、中心に配置した第１の磁石と、該第１の磁石の周囲に所定の間隔をおいて配置した少なくとも１個の第２の磁石と、第１、第２の磁石のそれぞれに対応する位置に設ける第１、第２のトッププレートとを備え、第１、第２の磁石は互いに異なる材質の磁石からなり、それぞれの厚さが磁気ギャップの値と比較して小さく、かつ互いに異なる値に設定され、第１、第２のトッププレートは、それぞれの厚さが互いに異なる値に設定されていることを特徴とする。
【０００９】
また、磁気回路は円形形状をなし、第１の磁石が円形形状または円筒形形状であり、第２の磁石が円筒形形状であることを特徴とする。
【００１０】
また、磁石と該磁石を挟持するトッププレート及びヨークとを含む磁気回路と、該磁気回路の磁気ギャップに配置されたボイスコイルと、該ボイスコイルにその一部が接合されかつ該ボイスコイルによって駆動される振動板とを備えた電気音響変換器において、磁気回路は、中心に配置した第１の磁石と、該第１の磁石の周囲の一部に所定の間隔で対向配置された少なくとも一対の磁石からなる第２の磁石とを備え、第１、第２の磁石のそれぞれの厚さの値が磁気ギャップの値と比較して小さい値に設定されていることを特徴とする。
【００１１】
また、第１、第２の磁石のそれぞれに対応する位置に第１、第２のトッププレートを備え、前記第１、第２の磁石は、それぞれの厚さが前記磁気ギャップの値と比較して小さく、かつ互いに異なる値に設定され、前記第１、第２のトッププレートは、それぞれの厚さが互いに異なる値に設定されていることを特徴とする。
【００１２】
また、磁気回路は長円形形状または長方形形状をなし、第１の磁石が長円形形状または長方形形状で中空または中実形状をなし、第２の磁石が第１の磁石の短手方向に配置され、前記第１の磁石の長手方向に沿って延長配置されていることを特徴とする。
【発明の効果】
【００１３】
本発明によれば、磁気ギャップにおける磁束密度が向上し、音響特性に優れた薄型の電気音響変換器を提供することができる。
また、携帯電話機等の長方形の形状の機器に搭載する場合、磁気回路の形状を長円形形状または長方形形状とすることにより、磁気回路の体積を大きくするとが可能となり、スピーカの音圧が向上し、音響特性に優れた薄型の電気音響変換器を提供することができる。
【００１４】
また、中心磁石と中空状磁石とを互いに異なる材質の磁石が用いることにより、複数の磁石を用いてもコストの上昇を抑えることができる。
【発明を実施するための最良の形態】
【００１５】
本実施形態における電気音響変換器としてのスピーカは、磁石を挟持するトッププレート及びヨークとを含む磁気回路に特徴がある。この磁気回路は中心に配置した第１の磁石と、第１の磁石の周囲に所定の間隔をおいて配置した少なくとも１個の第２の磁石とを備えており、この第１、第２の磁石のそれぞれの厚さの値を磁気ギャップの値と比較して小さい値に設定することにより、磁気ギャップにおける磁束密度を向上させ音響特性に優れた薄型のスピーカを提供するものである。
【００１６】
図１、図２、は本発明の実施例１におけるスピーカを示す図、図３は実施例１におけるスピーカの他の例を示す図、図４、図５は実施例２におけるスピーカを示す図、図６、図７は実施例３におけるスピーカを示す図である。なお、各実施例においてスピーカの主要部である磁気回路について説明し、その他の従来技術と同様な構成要素については、説明は省略する。以下、本発明のスピーカの具体的実施例について図１から図７に基づいて説明する。
【実施例１】
【００１７】
図１は本発明の実施例１におけるスピーカの主要部である磁気回路を示し、図１（ａ）は平面図、図１（ｂ）は、図１（ａ）におけるＡ−Ａ断面図である。また、図２は、図１（ｂ）の一部を拡大した部分拡大断面図である。なお、本実施例においては、円形状の磁気回路を例に説明する。図１、図２に示すように本実施例におけるスピーカの磁気回路は、中心に開口部を有する円板状のヨーク１３と、ヨーク１３上の中心に配置した円筒形形状の第１の磁石１１ａと、第１の磁石１１ａの周囲に所定の間隔をおいて配置した円筒形形状の第２の磁石１１ｂと、第１の磁石１１ａの上面に配置した第１のトッププレート１２ａと、第２の磁石１１ｂの上面に配置した第２のトッププレート１２ｂとを備えている。このように、本実施例における磁気回路は、第１、第２の磁石１１ａ、１１ｂをヨーク１３と第１、第２のトッププレート１２ａ、１２ｂとで挟持するように構成されている。
【００１８】
第１の磁石１１ａは、その中心軸を磁気回路の中心軸に一致させヨーク１３上に配置し、例えば一方の面側をＮ磁極、他方の面側をＳ磁極に着磁する。また、第１の磁石１１ａのヨーク１３と対向する側に配置される第１のトッププレート１２ａは、第１の磁石１１ａの外径よりも大きな外径の円筒形形状をなす磁性体である。
【００１９】
第２の磁石１１ｂは、第１の磁石１１ａと同心円状にヨーク１３上に配置し、例えば一方の面側をＳ磁極、他方の面側をＮ磁極に着磁する。このとき、第１の磁石１１ａと第２の磁石１１ｂとは、対向する側が互いに逆磁極となるように着磁する。また、第２の磁石１１ｂのヨーク１３と対向する側に配置される第２のトッププレート１２ｂは、第２の磁石１１ｂの内径よりも小さい内径の円筒形形状をなす磁性体である。
【００２０】
第２の磁石１１ｂの厚さｆは、第１の磁石１１ａの厚さｅに対して大きい値に設定されている。また、第２のトッププレート１２ｂの厚さｄは、第１のトッププレート１２ａの厚さｃに対して小さい値に設定されている。また、第１、第２のトッププレート１２ａ、１２ｂは、第１、第２の磁石１１ａ、１１ｂ上にそれぞれ積層配置された状態において、その上面がほぼ同一平面となるように各部の寸法が設定されている。
【００２１】
また、第１のトッププレート１２ａの外周と、第２のトッププレート１２ｂの内周との間には、距離ｂの空隙を有する磁気ギャップ１５を形成する。また、第１、第２の磁石１１ａ、１１ｂの厚さｅ、ｆはいずれも磁気ギャップ１５の距離ｂに比較して小さい値に設定する。このように、第１の磁石１１ａの周囲に所定の間隔をおいて第２の磁石１１ｂを配置することにより、磁気ギャップ１５には、第１のトッププレート１２ａから第２のトッププレート１２ｂへの高い磁束密度ｍの磁界が作用し、磁気ギャップ１５の空隙に作用する磁束密度ｍが向上する。
【００２２】
また、第１の磁石１１ａと第２の磁石１１ｂは互いに異なる材質の磁石を用いることができる。本実施例においては、第１の磁石１１ａをネオジウム、第２の磁石１１ｂをネオジボンドとした。このように、互いに異なる材質の磁石を用いることにより、コストを低減することができる。
【００２３】
さらに、第１のトッププレート１２ａの厚さｃを第２のトッププレート１２ｂの厚さｄより大きい値に設定することにより、磁束の出口が大きく、磁束の入り口が小さくなり、磁束がより集中し、磁気ギャップ１５の空隙に作用する磁束密度ｍがさらに向上する。なお、本実施例においては、磁気ギャップ１５の空隙寸法ｂを０．５５ｍｍ、第１の磁石１１ａの厚さｅを０．４ｍｍ、第２の磁石１１ｂの厚さｆを０．５ｍｍ、第１のトッププレート１２ａの厚さｃを０．３ｍｍ、第２のトッププレート１２ｂの厚さｄを０．２ｍｍとし、磁束密度ｍが向上することを確認している。但し、これらの数値は限定されものではなく、適宜設定することができる。
また、第１、第２のトッププレート１２ａ、１２ｂの厚さｃ、ｄは互いに同じ値であっても、磁束密度ｍが向上することが実験により確認されているが、第１、第２のトッププレート１２ａ、１２ｂの厚さｃ、ｄの値を異なる値に設定した場合の方が、磁束がより集中し、磁気ギャップ１５の空隙に作用する磁束密度ｍがさらに向上するため好ましい。
【００２４】
このように構成された磁気回路においては磁気ギャップ１５にボイスコイル１８が挿入されている。第１のトッププレート１２ａから第２のトッププレート１２ｂへの磁界が作用し、この磁界内にあるボイスコイル１８に音声信号に対応した電流が流れると、ボイスコイル１８に流れる電流の極性と電流値に応じてボイスコイル１８が変位する。ボイスコイル１８の変位に伴い、スピーカの振動板（図示せず）を振動させ、電気的な音声信号に対応した音声を発生する電気音響変換器としてのスピーカを構成する。なお、ボイスコイルと、ボイスコイルにその一部が接合されかつボイスコイルによって駆動される振動板については、従来技術と同様であるため説明を省略する。
【００２５】
以上のように、本実施例によれば、第１、第２の磁石１１ａ、１１ｂのそれぞれの厚さｅ、ｆを磁気ギャップ１５の空隙寸法ｂの値と比較して小さく、かつ互いに異なる値に設定することによって、磁気ギャップ１５における磁束密度ｍが向上し音響特性に優れた薄型の電気音響変換器としてのスピーカを提供することができる。また、第１、第２のトッププレート１２ａ、１２ｂのそれぞれの厚さｃ、ｄを互いに異なる値に設定することによって、さらに磁気ギャップ１５における磁束密度ｍを向上させることができる。また、第１、第２の磁石１１ａ、１１ｂを互いに異なる材質の磁石で形成することにより、コストを低減することができる。
なお、本実施例においては、磁気回路の形状が円形形状を例として説明したが、これに限定されるものではなく、長円形形状、長方形形状等の他の形状の磁気回路においても適応することができる。
【比較例】
【００２６】
図３は、第１、第２の磁石、第１、第２のトッププレートの厚さの関係を逆にした例である。図３に示すように、この磁気回路は、第２の磁石２１ｂの厚さｋは、第１の磁石２１ａの厚さｊに対して小さい値に設定されている。また、第２のトッププレート２２ｂの厚さｈは、第１のトッププレート２２ａの厚さｇに対して大きい値に設定されている。このため、磁束の出口が狭く入り口が広くなり磁束が分散し空隙の磁束が低下している。このように、磁気ギャップ１５における磁束密度ｍを向上させるためには、磁束の出口が広く、入り口が狭くなるように設定する必要がある。
【実施例２】
【００２７】
図４は本発明の実施例２におけるスピーカの主要部である磁気回路を示し、図４（ａ）は平面図、図４（ｂ）は、図４（ａ）におけるＡ−Ａ断面図である。また、図５は、同じく磁気回路を示し、図５（ａ）は、図４（ａ）におけるＢ−Ｂ断面図、図５（ｂ）は、図５（ａ）の一部を拡大した部分拡大断面図である。なお、本実施例においては、長円形状の磁気回路を例に説明する。
【００２８】
図４、図５に示すように本実施例におけるスピーカの磁気回路は、中心に開口部を有する長円板状のヨーク３３と、ヨーク３３上の中心に配置した長円筒形形状の第１の磁石３１ａと、第１の磁石の周囲の短手方向側面の一部に所定の間隔をおいて対向配置し、第１の磁石３１ａの長手方向に沿って延長配置した長方形の板状をなす一対の磁石からなる第２の磁石３１ｂ、３１ｃと、第１の磁石３１ａの上面に配置した第１のトッププレート３２ａと、第２の磁石３１ｂ、３１ｃのそれぞれの上面に配置した一対のトッププレートからなる第２のトッププレート３２ｂ、３２ｃとを備えている。なお、本実施例においては、第２の磁石３１ｂ、３１ｃは同形状とし、第２のトッププレート３２ｂ、３２ｃも同形状とした。このように、本実施例における磁気回路は、第１の磁石３１ａ、第２の磁石３１ｂ、３１ｃをヨーク３３と第１のトッププレート３２ａ、第２のトッププレート３２ｂ、３２ｃとで挟持するように構成されている。
【００２９】
第１の磁石３１ａは、その中心軸を磁気回路の中心軸に一致させヨーク３３上に配置し、例えば一方の面側をＮ磁極、他方の面側をＳ磁極に着磁する。また、第１の磁石３１ａのヨーク３３と対向する側に配置される第１のトッププレート３２ａは、第１の磁石３１ａの外径よりも大きな外径の長円筒形形状をなす磁性体である。
【００３０】
第２の磁石３１ｂ、３１ｃは、第１の磁石３１ａの短手方向の外側でヨーク３３上に配置し、例えば一方の面側をＳ磁極、他方の面側をＮ磁極に着磁する。このとき、第１の磁石３１ａと第２の磁石３１ｂ、３１ｃとは、対向する側が互いに逆磁極となるように着磁する。また、第２の磁石３１ｂのヨーク３３と対向する側に配置される一方の第２のトッププレート３２ｂは、第２の磁石３１ｂと同じく長方形の板状をなし、その長手方向内側の側面は第２の磁石３１ｂの長手方向内側の側面よりも内側、即ち中心よりの位置となるように配置されている。同様に、他方の第２のトッププレート３２ｃも、第２の磁石３１ｃと同じく長方形の板状をなし、その長手方向内側の側面は第２の磁石３１ｃの長手方向内側の側面よりも内側、即ち中心よりの位置となるように配置されている。また、一対の磁石からなる第２のトッププレート３２ｂ、３２ｃは、いずれも磁性体である。
【００３１】
第２の磁石３１ｂ、３１ｃの厚さｆは、第１の磁石３１ａの厚さｅに対して大きい値に設定されている。また、第２のトッププレート３２ｂ、３２ｃの厚さｄは、第１のトッププレート３２ａの厚さｃに対して小さい値に設定されている。また、第１のトッププレート１２ａ、第２のトッププレート３２ｂ、３２ｃは、第１の磁石３１ａ、第２の磁石３１ｂ、３１ｃ上にそれぞれ積層配置された状態において、その上面がほぼ同一平面となるように各部の寸法が設定されている。
【００３２】
また、第１のトッププレート３２ａの外周と、一方の第２のトッププレート３２ｂの内側側面との間には、距離ｂの空隙を有する磁気ギャップ３５を形成する。同様に第１のトッププレート３２ａの外周と、他方の第２のトッププレート３２ｂの内側側面との間には、距離ｂの空隙を有する磁気ギャップ３５を形成する。また、第１の磁石３１ａの厚さｅ、第２の磁石３１ｂ、３１ｃの厚さｆはいずれも磁気ギャップ３５の空隙距離ｂに比較して小さい値に設定する。このように、第１の磁石３１ａの周囲の一部に所定の間隔をおいて第２の磁石３１ｂ、３１ｃを対向配置することにより、磁気ギャップ３５には、第１のトッププレート３２ａから一方の第２のトッププレート３２ｂへの高い磁束密度ｍの磁界が作用し、磁気ギャップ３５の空隙に作用する磁束密度ｍが向上する。同様に第１のトッププレート３２ａから他方の第２のトッププレート３２ｃへの高い磁束密度ｍの磁界が作用し、磁気ギャップ３５の空隙に作用する磁束密度ｍが向上する。
【００３３】
さらに、第１のトッププレート３２ａの厚さｃを第２のトッププレート３２ｂ、３２ｃの厚さｄより大きい値に設定することにより、磁束の出口か大きく、磁束の入り口が小さくなり、磁束がより集中し、磁気ギャップ３５の空隙に作用する磁束密度ｍがさらに向上する。
なお、第１の磁石３１ａ、第２の磁石３２ｂ、３２ｃの材質と厚さ、第１のトッププレート３２ａ、第２のトッププレート３２ｂ、３２ｃの厚さについては、実施例１と同様であるため説明を省略する。
【００３４】
このように構成された磁気回路においては磁気ギャップ３５にボイスコイル３８が挿入されている。実施例１と同様に、第１のトッププレート３２ａから第２のトッププレート３２ｂ、３２ｃへの磁界が作用し、ボイスコイル１８の変位に伴い、振動板（図示せず）を振動させ、電気音響変換器としてのスピーカを構成する。なお、その他の点については、実施例１と同様であるため説明を省略する。
【００３５】
以上のように、本実施例によれば、携帯電話機等の長方形の形状の機器に搭載する場合、磁気回路の形状を長円形形状とすることにより、磁気回路の体積を大きくすることが可能となり、スピーカの音圧が向上し、音響特性に優れた薄型の電気音響変換器を提供することができる。また、本実施例においても実施例１と同様の効果を得ることができる。
【実施例３】
【００３６】
図６は本発明の実施例３におけるスピーカの主要部である磁気回路を示し、図６（ａ）は平面図、図６（ｂ）は、図６（ａ）におけるＡ−Ａ断面図である。また、図７は、同じく磁気回路を示し、図７（ａ）は、図６（ａ）におけるＢ−Ｂ断面図、図７（ｂ）は、図７（ａ）の一部を拡大した部分拡大断面図である。なお、本実施例においては、長方形形状の磁気回路の例であり、回路の形状が異なる以外は、実施例２とほぼ同様である。以下、簡単に説明する。
【００３７】
図６、図７に示すように本実施例におけるスピーカの磁気回路は、中心に開口部を有する長方形形状のヨーク４３と、ヨーク４３上の中心に配置した中心に開口部を有する長方形形状の第１の磁石４１ａと、第１の磁石４１ａの周囲の長辺に対応する両側面にそれぞれ所定の間隔をおいて対向配置し、第１の磁石４１ａの長辺に沿って延長配置した長方形の板状をなす一対の磁石からなる第２の磁石４１ｂ、４１ｃと、第１の磁石４１ａの上面に配置した第１のトッププレート４２ａと、第２の磁石４１ｂ、４１ｃのそれぞれの上面に配置した一対のトッププレートからなる第２のトッププレート４２ｂ、４２ｃとを備えている。なお、本実施例においては、第２の磁石４１ｂ、４１ｃは同形状とし、第２のトッププレート４２ｂ、４２ｃも同形状とした。このように、本実施例における磁気回路は、第１の磁石４１ａ、第２の磁石４１ｂ、４１ｃをヨーク４３と第１のトッププレート４２ａ、第２のトッププレート４２ｂ、４２ｃとで挟持するように構成されている。
【００３８】
第１の磁石４１ａは、その中心軸を磁気回路の中心軸に一致させヨーク４３上に配置し、例えば一方の面側をＮ磁極、他方の面側をＳ磁極に着磁する。また、第１の磁石４１ａのヨーク４３と対向する側に配置される第１のトッププレート４２ａは、第１の磁石４１ａの外径よりも大きな外径の長方形形状をなす磁性体である。
【００３９】
第２の磁石４１ｂ、４１ｃは、第１の磁石４１ａの長辺の外側でヨーク４３上に配置し、例えば一方の面側をＳ磁極、他方の面側をＮ磁極に着磁する。このとき、第１の磁石４１ａと第２の磁石４１ｂ、４１ｃとは、対向する側が互いに逆磁極となるように着磁する。また、第２の磁石４１ｂのヨーク４３と対向する側に配置される一方の第２のトッププレート４２ｂは、第２の磁石４１ｂと同じく長方形の板状をなし、その長辺の内側側面は第２の磁石４１ｂの長辺の内側側面よりも内側、即ち中心よりの位置となるように配置されている。同様に、他方の第２のトッププレート４２ｃも、第２の磁石４１ｃと同じく長方形の板状をなし、その長辺の内側側面は第２の磁石４１ｃの長辺の内側側面よりも内側、即ち中心よりの位置となるように配置されている。また、一対の磁石からなる第２のトッププレート４２ｂ、４２ｃは、実施例２と同様にいずれも磁性体である。
【００４０】
第１の磁石４１ａの厚さｅ、第２の磁石４１ｂ、４１ｃの厚さｆ、第１のトッププレート４２ａの厚さｃ、第２のトッププレート４２ｂ、４２ｃの厚さｄの値の互いの関係は実施例２と同様であるため説明を省略する。また、第１のトッププレート４２ａの外周と、一方の第２のトッププレート４２ｂの内側側面との間には、距離ｂの空隙を有する磁気ギャップ４５を形成し、同様に第１のトッププレート４２ａの外周と、他方の第２のトッププレート４２ｃの内側側面との間にも、距離ｂの空隙を有する磁気ギャップ４５を形成する。この磁気ギャップ４５にボイスコイル４８が挿入されるが、磁気ギャップ４５の空隙距離ｂと第１の磁石３４ａの厚さｅ、第２の磁石４１ｂ、４１ｃの厚さｆとの関係も実施例２と同様であるため説明を省略する。
【００４１】
このように、第１の磁石４１ａの長辺に所定の間隔をおいて第２の磁石４１ｂ、４１ｃを対向配置することにより、磁気ギャップ４５には、第１のトッププレート４２ａから一方の第２のトッププレート４２ｂへの高い磁束密度ｍの磁界が作用し、磁気ギャップ４５の空隙に作用する磁束密度ｍが向上する。同様に第１のトッププレート４２ａから他方の第２のトッププレート４２ｃへの高い磁束密度ｍの磁界が作用し、磁気ギャップ４５の空隙に作用する磁束密度ｍが向上する。
【００４２】
さらに、第１のトッププレート４２ａの厚さｃを第２のトッププレート４２ｂ、４２ｃの厚さｄより大きい値に設定することにより、磁束の出口か大きく、磁束の入り口が小さくなり、磁束がより集中し、磁気ギャップ４５の空隙に作用する磁束密度ｍがさらに向上する。なお、その他の点については、実施例２と同様であり説明を省略する。
以上のように、本実施例によれば、実施例２と同様の効果を得ることができる。
【００４３】
なお、実施例２、３においては、磁気回路の形状が長円形形状、長方形形状を例として説明したが、これに限定されるものではなく、円形等の他の形状の磁気回路においても適応することができる。
また、本実施形態においては、電気音響変換器としてスピーカを例として説明したが、これに限定されるものではなく、マイク等の他の電気音響変換器においても適応することができる。
【図面の簡単な説明】
【００４４】
【図１】本発明の実施例１におけるスピーカの主要部を示す図で、図１（ａ）は平面図、図１（ｂ）は、図１（ａ）におけるＡ−Ａ断面図である。
【図２】図１（ｂ）の部分拡大断面図である。
【図３】本発明の実施例１におけるスピーカの他の例を示す図で、図３（ａ）は断面図、図３（ｂ）は、図３（ａ）の部分拡大断面図である。
【図４】本発明の実施例２におけるスピーカの主要部を示す図で、図４（ａ）は平面図、図４（ｂ）は、図４（ａ）におけるＡ−Ａ断面図である。
【図５】図４（ａ）におけるＢ−Ｂ断面を示す図で、図５（ａ）はＢ−Ｂ断面図、図５（ｂ）は、図５（ａ）の部分拡大断面図である。
【図６】本発明の実施例３におけるスピーカの主要部を示す図で、図６（ａ）は平面図、図６（ｂ）は、図６（ａ）におけるＡ−Ａ断面図である。
【図７】図６（ａ）におけるＢ−Ｂ断面を示す図で、図７（ａ）はＢ−Ｂ断面図、図７（ｂ）は、図７（ａ）の部分拡大断面図である。
【図８】従来技術におけるスピーカを示す図で、図８（ａ）は、スピーカの断面図、図８（ｂ）は、スピーカの主要部を示す断面図である。
【符号の説明】
【００４５】
１  磁石
２  トッププレート
３  ヨーク
４  磁気回路
５  磁気ギャップ
６  フレーム
７  振動板
８  ボイスコイル
１１ａ、２１ａ  第１の磁石  
１１ｂ、２１ｂ  第２の磁石
１２ａ、２２ａ  第１のトッププレート
１２ｂ、２２ｂ  第２のトッププレート
１３  ヨーク
１５  磁気ギャップ
１８  ボイスコイル
３１ａ、４１ａ  中心磁石  
３１ｂ、４１ｂ  外側磁石
３１ｃ、４１ｃ  外側磁石
３３、４３  ヨーク
３５、４５  磁気ギャップ
３８、４８  ボイスコイル
【図１】
2008312056.tif 000003
【図２】
2008312056.tif 000004
【図３】
2008312056.tif 000005
【図４】
2008312056.tif 000006
【図５】
2008312056.tif 000007
【図６】
2008312056.tif 000008
【図７】
2008312056.tif 000009
【図８】
2008312056.tif 000010